(57)【特許請求の範囲】
【請求項１】
熱伝導部材を介して筐体に取り付けられる電池モジュールであって、
一方向に配列される複数の電池セルと、前記電池セルの前記一方向に交差する面である主面に接触するように配置されて前記一方向に配列される複数の伝熱プレートと、を有する配列体と、
前記配列体を前記一方向に加圧した状態で拘束する拘束部と、
前記配列体の一方の端部に配置される弾性部材と、を備え、
前記拘束部は、前記配列体と前記弾性部材とを前記一方向に加圧した状態で拘束し、
前記伝熱プレートは、
前記主面に接触する第一本体部と、
前記第一本体部の一端部から前記主面に交差する方向に折れ曲がり、前記熱伝導部材に接触する第二本体部と、を有し、
前記第二本体部における前記一端部とは反対側の他端部と、前記第一本体部から前記第二本体部が折れ曲がる方向に隣接して配置されている前記伝熱プレートとが、前記電池セルの膨張により前記伝熱プレートが移動する前の状態において、前記電池セルの膨張による前記伝熱プレートの前記一方向における移動量に応じた距離、かつ前記電池セルの膨張による前記伝熱プレートの最大移動量よりも長い距離離れており、
前記一方向における前記第二本体部の長さは、前記一方向において前記弾性部材から遠い位置に配置されている前記電池セルに接触する伝熱プレートほど長い、電池モジュール。
【請求項２】
前記一方向における前記第二本体部の長さは、前記一方向における前記第一本体部の厚みの１倍以上１０倍以下である、請求項１記載の電池モジュール。
【発明の詳細な説明】
【技術分野】
【０００１】
本発明は、電池モジュールに関する。
【背景技術】
【０００２】
電池ホルダに保持された状態の電池セルが複数配列されてなる電池モジュールが筐体等に取り付けられた電池パックが知られている。特許文献１には、電池ホルダに伝熱プレートを取り付け、当該伝熱プレートを熱伝導部材を介して筐体に接触させることにより放熱性を向上させることができる電池モジュールが開示されている。この電池モジュールは、複数配列された電池セルの配列方向端部に弾性部材が配置されており、複数の電池セル及び弾性部材は、配列方向に加圧された状態で一体的に拘束されている。
【先行技術文献】
【特許文献】
【０００３】
【特許文献１】特開２０１５−１５６３０３号公報
【発明の概要】
【発明が解決しようとする課題】
【０００４】
このような構成の電池モジュールは、電池セルの膨張を一定の範囲で吸収する弾性部材が配置されることにより、電池セルに接触するように設けられた伝熱プレートは一定の範囲で移動する。また、このような構成の電池モジュールは、熱伝導部材を押し付けた状態で筐体に固定されるので、接触する伝熱プレートによって押し付け方向に変形する。このため、伝熱プレートの移動先の部分に該当する熱伝導部材に上記のような変形がある場合、伝熱プレートは熱伝導部材に接触しなくなり、放熱効率が低下する。
【０００５】
そこで、本発明の目的は、電池セルの膨張により電池セルの配列方向に伝熱プレートが移動した場合であっても、放熱効率の低下を抑制することができる電池モジュールを提供することにある。
【課題を解決するための手段】
【０００６】
本発明の電池モジュールは、熱伝導部材を介して筐体に取り付けられる電池モジュールであって、一方向に配列される複数の電池セルと、電池セルの一方向に交差する面である主面に接触するように配置されて一方向に配列される複数の伝熱プレートと、を有する配列体と、配列体を一方向に加圧した状態で拘束する拘束部と、を備え、伝熱プレートは、主面に接触する第一本体部と、第一本体部の一端部から主面に交差する方向に折れ曲がり、熱伝導部材に接触する第二本体部と、を有し、第二本体部における一端部とは反対側の他端部と、第一本体部から第二本体部が折れ曲がる方向に隣接して配置されている伝熱プレートとが、電池セルの膨張により伝熱プレートが移動する前の状態において、電池セルの膨張による伝熱プレートの一方向における移動量に応じた距離離れている。
【０００７】
この構成の電池モジュールでは、第二本体部における第一本体部とは反対側の端部と、第一本体部から第二本体部が折れ曲がる方向に隣接して配置されている伝熱プレートとが離間している。更に、離間距離は、電池セルの膨張による伝熱プレートの一方向における移動量に応じた距離となっている。上記離間距離を調整することは、電池セルの膨張により一の伝熱プレートが移動した場合の、当該一の伝熱プレートと、当該伝熱プレートの移動方向に隣接する他の伝熱プレートの押圧によって変形された熱伝導部材との移動方向における重なり部分の長さを調整することを意味する。当該重なり部分は、一の伝熱プレートが熱伝導部材と接触しなくなる部分となり得るので、当該重なり量（すなわち、離間距離）が適宜調整された伝熱プレートを有する電池モジュールでは、放熱効率の低下を抑制することができる。
【０００８】
本発明の電池モジュールでは、一方向における第二本体部の長さを、一方向における第一本体部の厚みの１倍以上１０倍以下としてもよい。
【０００９】
本発明の電池モジュールでは、上記距離は、電池セルの膨張による伝熱プレートの最大移動量よりも長くてもよい。
【００１０】
この構成の電池モジュールによれば、電池セルの膨張により伝熱プレートが移動した場合であっても、第二本体部の他端部が移動方向に隣接して配置されている伝熱プレートが配置されていた位置まで移動することはない。言い換えれば、電池セルの膨張により伝熱プレートが移動した場合であっても、移動方向に隣接して配置されていた伝熱プレートの押圧によって変形した熱伝導部材の位置にまで移動することはない。したがって、第二本体部の一部が熱伝導部材に接触しなくなることがなく、第二本体部の全てが熱伝導部材に接触する状態を維持することができる。この結果、放熱効率の低下をより一層抑制することができる。
【００１１】
本発明の電池モジュールは、配列体の一方の端部に配置される弾性部材を更に備えており、拘束部は、配列体と弾性部材とを一方向に加圧した状態で拘束してもよい。
【００１２】
この構成の電池モジュールでは、電池セルの膨張を一定の範囲で吸収することができる。
【００１３】
本発明の電池モジュールでは、一方向における第二本体部の長さを、一方向において弾性部材から遠い位置に配置されている電池セルに接触する伝熱プレートほど長くしてもよい。
【００１４】
この構成の電池モジュールでは、電池セルの膨張により移動量が大きい伝熱プレートほど（すなわち、弾性部材に近い伝熱プレートほど）第二本体部の移動方向における長さが短くなっているのでいる。これにより、電池セルの膨張により伝熱プレートが移動した場合であっても、移動方向に隣接して配置されていた伝熱プレートの押圧によって変形した熱伝導部材の位置にまで移動する可能性を低くすることができる。この結果、放熱効率の低下をより一層抑制することができる。
【発明の効果】
【００１５】
本発明によれば、電池セルの膨張により電池セルの配列方向に伝熱プレートが移動した場合であっても、放熱効率の低下を抑制することができる。
【図面の簡単な説明】
【００１６】
【図１】一実施形態における電池モジュールを含む電池パックを示す斜視図である。
【図２】一実施形態における電池モジュールを示す側面図である。
【図３】図２の電池セル、電池ホルダ及び伝熱プレートを示す分解斜視図である。
【図４】図２の電池セル、電池ホルダ及び伝熱プレートの配列状態を示す側面図である。
【図５】（Ａ）は一の電池セル、電池ホルダ及び伝熱プレートを示した側面図であり、（Ｂ）は伝熱プレートの曲線部を拡大して示した側面図である。
【図６】熱伝導部材が配置された側壁に取り付けられる図２の電池モジュールを示した側面図である。
【図７】図２の電池モジュールが、熱伝導部材が配置された側壁に取り付けられた状態を示す側面図である。
【図８】（Ａ）は電池セルの膨張により伝熱プレートが移動する前の状態を示す側面図であり、（Ｂ）は電池セルの膨張により伝熱プレートが移動した後の状態を示す側面図である。
【図９】（Ａ）図２の電池モジュールに含まれる弾性部材近傍を拡大して示した側面図であり、（Ｂ）変形例に係る電池モジュールに含まれる弾性部材近傍を拡大して示した側面図である。
【発明を実施するための形態】
【００１７】
以下、図面を参照して一実施形態に係る電池モジュール２１を含む電池パック１０について説明する。図面の説明において、同一要素には同一符号を付し、重複する説明を省略する。図面の寸法比率は、説明のものと必ずしも一致していない。
【００１８】
図１に示されるように、電池パック１０は、筐体１１を有している。筐体１１には複数の電池モジュール２１が収容されている。筐体１１は、四角箱状をなしており、矩形平板状の底板１２と、底板１２の周縁から立設する矩形平板状の側壁１３と、側壁１３によって囲まれる開口部を閉塞する矩形平板状の天板１４と、を有している。
【００１９】
図２に示されるように、電池モジュール２１は、複数の電池セル２３（図１参照）と、一対のブラケット（拘束部）２５，２５と、弾性部材４７と、ボルトＢ及びナットＮと、伝熱プレート４１と、を備えている。
【００２０】
電池セル２３は、例えば、リチウムイオン二次電池及びニッケル水素蓄電池などの二次電池である。電池セル２３は、電池ホルダ２２に保持された状態で一方向Ｄに並設されている。図３に示されるように、電池ホルダ２２は、第一被覆部３１と、第二被覆部３２と、第三被覆部３３と、第四被覆部３４と、一対の脚部３６，３６と、を有している。
【００２１】
第一被覆部３１は、矩形平板状に形成され、電池セル２３の底部２４ａを覆う部分である。第二被覆部３２及び第三被覆部３３は、第一被覆部３１の長手方向両端から立設する部分である。第二被覆部３２及び第三被覆部３３は、矩形平板状に形成され、電池セル２３の側面２４ｂを覆う。第四被覆部３４は、矩形平板状に形成され、電池セル２３の一方の主面（厚み方向に直交する面）２４ｃの一部を覆う部分である。第四被覆部３４は、第二被覆部３２の長手方向における第一端部３２ａ（第一被覆部３１が設けられる端部とは反対側の端部）と、第三被覆部３３の長手方向における第一端部３３ａ（第一被覆部３１が設けられる端部とは反対側の端部）とに接続されている。第四被覆部３４は、その厚み方向が電池セル２３の並設方向と一致し、長手方向が第二被覆部３２及び第三被覆部３３の対向方向と一致するように配置されている。第一被覆部３１、第二被覆部３２、第三被覆部３３に囲まれる領域は、電池セル２３が収容される収容部Ｓとなる。
【００２２】
第二被覆部３２及び第三被覆部３３の長手方向における第一端部３２ａ，３３ａには、それぞれ第二被覆部３２及び第三被覆部３３と連設され、第二被覆部３２及び第三被覆部３３の長手方向に延びる矩形平板状の突出部３５が設けられている。また、第二被覆部３２及び第三被覆部３３の長手方向における第二端部３２ｃ、３３ｃには、それぞれ四角柱状の脚部３６，３６が設けられている。
【００２３】
図１に示されるように、一対のブラケット２５，２５は、一方向Ｄに並設された電池セル２３の並設方向両端に設けられている。ブラケット２５は、挟持部２５ａと、固定部２５ｂと、固定部２５ｂに形成された挿通孔２５ｃと、を有している。電池モジュール２１は、ブラケット２５の固定部２５ｂが側壁１３に固定されることによって、筐体１１に固定される。具体的には、挿通孔２５ｃに挿通されるボルト（図示せず）が側壁１３にねじ込まれることにより、ブラケット２５が筐体１１に固定される。
【００２４】
図２に示されるように、弾性部材４７は、配列体２８の一方の端部に配置されている。配列体２８及び弾性部材４７は、後段にて詳述するボルトＢ及びナットＮによって、電池セル２３の配列方向（一方向Ｄ）に加圧した状態で拘束される。弾性部材４７は、例えばウレタン系ゴム等の弾性材料によって形成されている。弾性部材４７は、電池セル２３の膨張を一定の範囲で吸収する。
【００２５】
図２に示されるように、ボルトＢ及びナットＮは、一対のブラケット２５，２５同士を連結する。一対のブラケット２５，２５には、ボルトＢが挿通されている。ボルトＢは、一方のブラケット２５から、他方のブラケット２５に向けて挿通されると共に、他方のブラケット２５を挿通した位置でナットＮに螺合されている。一対のブラケット２５，２５は、一方向Ｄに配列される複数の電池セル２３と、電池セル２３の一方向Ｄ（配列の方向）に交差する面である主面２４ｃに接触するように配置される複数の伝熱プレート４１と、からなる配列体２８及び弾性部材４７を一方向Ｄに加圧した状態で拘束する。
【００２６】
図３及び図４に示されるように、伝熱プレート４１は、電池ホルダ２２に収容された電池セル２３の主面２４ｃに接触して配置される板状の部材である。図５（Ａ）に示されるように、伝熱プレート４１は、例えば、アルミニウムの金属製の板材を屈曲させることで形成されており、矩形平板状の第一本体部４２と、第一本体部４２の長手方向における一端部４３ｂから直角（９０度）に屈曲する矩形平板状の第二本体部４３とを有している。第一本体部４２は、電池セル２３の厚み方向において電池セル２３と隣り合った状態で収容部Ｓに設けられる。第二本体部４３は、第三被覆部３３の一方の側面２４ｂ（第三被覆部３３の厚み方向の面において収容部Ｓとは反対側の面）を覆っている。
【００２７】
第二本体部４３は、第一本体部４２から９０度曲げられている。言い換えれば、第一本体部４２と第二本体部４３とは、９０度で交差している。第二本体部４３は、第一本体部４２から弾性部材４７が配置された方向に折れ曲がっている。図４に示されるように、電池モジュール２１は、第二本体部４３における一端部４３ｂとは反対側の他端部４３ａと、第一本体部４２から第二本体部４３が折れ曲がる方向に隣接して配置されている伝熱プレート４１とが距離Ｇ離れている。本実施形態の距離Ｇは、電池セル２３の膨張により一方向Ｄに移動する伝熱プレート４１の移動量に応じた距離であり、電池セル２３の膨張により移動する伝熱プレート４１の最大移動量よりも長い。図５（Ｂ）に示されるように、一方向Ｄにおける第二本体部４３の長さＬ２は、一方向Ｄにおける第一本体部４２の厚みＬ１の１倍以上１０倍以下（通常、５倍）である。
【００２８】
具体的には、図４に示されるように、配列体２８の一端側から電池セル２３Ａ、電池セル２３Ｂ、電池セル２３、電池セル２３Ｄ、電池セル２３Ｅ、電池セル２３Ｆ、及び電池セル２３Ｇの順番で配置されている。電池セル２３Ｇの主面２４ｃに接触する伝熱プレート４１Ｇの第二本体部４３における他端部４３ａと、第一本体部４２から第二本体部４３が折れ曲がる方向に隣接して配置されている伝熱プレート４１Ｆとが距離Ｇ離れている。同様に、電池セル２３Ｆの主面２４ｃに接触する伝熱プレート４１Ｆの第二本体部４３における他端部４３ａ及び伝熱プレート４１Ｅの離間距離、電池セル２３Ｅの主面２４ｃに接触する伝熱プレート４１Ｅの第二本体部４３における他端部４３ａ及び伝熱プレート４１Ｄの離間距離、電池セル２３Ｄの主面２４ｃに接触する伝熱プレート４１Ｄの第二本体部４３における他端部４３ａ及び伝熱プレート４１Ｃの離間距離、電池セル２３Ｃの主面２４ｃに接触する伝熱プレート４１Ｃの第二本体部４３における他端部４３ａ及び伝熱プレート４１Ｂの離間距離、並びに電池セル２３Ｂの主面２４ｃに接触する伝熱プレート４１Ｂの第二本体部４３における他端部４３ａ及び伝熱プレート４１Ａの離間距離は、全て距離Ｇである。
【００２９】
図５（Ｂ）に示されるように、第二本体部４３の第一本体部４２側は、曲線部４４が形成されている。曲線部４４は、例えば、伝熱プレート４１の厚みが３ｍｍの場合、外側部分４４ａの曲線の半径を６ｍｍ、内側部分４４ｂの曲線の半径を３ｍｍとすることができる。曲線部４４の一部は、後述する熱伝導部材５１に接触する。なお、曲線部４４における曲線の半径は極力小さくすることが好ましい。
【００３０】
上述した構成の電池モジュール２１が筐体１１の側壁１３に取り付けられて、図１に示されるような電池パック１０となる。図６及び図７に示されるように、電池モジュール２１が筐体１１の側壁１３に取り付けられる場合には、一対のブラケット２５，２５によって取り付けられる。また、配列体２８と側壁１３との間には、熱伝導部材５１としてのＴＩＭ（Thermal Interface Material）が配置される。すなわち、伝熱プレート４１の第二本体部４３は、ＴＩＭを介して筐体１１の側壁１３に接触している。
【００３１】
熱伝導部材５１は、両面が粘着性を有するシート状の材料からなる部材である。また、この熱伝導部材５１は、絶縁性を有している。このような絶縁性を有する熱伝導部材として、金属フィラーを含まない熱伝導シートを用いることができる。また、このような熱伝導部材５１には、シリコーン系の熱伝導シートと、アクリル系の熱伝導シートとがある。シリコーン系の熱伝導シートを用いる場合には、耐寒性及び耐熱性に優れているため使用温度の範囲を広くすることができる。また、金属フィラーを使用していないシリコーン系の熱伝導シートは、温度及び周波数による電気特性の変化が小さいため絶縁材料に適する。一方、アクリル系のシートは、シロキサンガスの発生がないため、密閉空間における機械接点の接点障害、及び磨耗が発生しない。また、アクリル系のシートは、一般的にシリコーンより安価である。
【００３２】
次に、上記実施形態の電池モジュール２１の作用効果について説明する。上記実施形態の電池モジュール２１では、図４に示されるように、第二本体部４３における他端部４３ａと、第一本体部４２から第二本体部４３が折れ曲がる方向に隣接して配置されている伝熱プレート４１とが離間している。例えば、図８（Ａ）に示されるように、伝熱プレート４１Ｇの第二本体部４３における他端部４３ａと、伝熱プレート４１Ｇの第一本体部４２から第二本体部４３が折れ曲がる方向に隣接して配置されている伝熱プレート４１Ｆとが離間している。また、伝熱プレート４１Ｆの第二本体部４３における他端部４３ａと、伝熱プレート４１Ｆの第一本体部４２から第二本体部４３が折れ曲がる方向に隣接して配置されている伝熱プレート４１Ｅとが離間している。
【００３３】
更に、離間距離は、電池セルの膨張による伝熱プレートの一方向における移動量に応じた距離となっている。上記離間距離Ｇを調整することは、電池セル２３の膨張により一の伝熱プレート４１（例えば、伝熱プレート４１Ｇ）が移動した場合の、当該一の伝熱プレート４１と、当該伝熱プレート４１の一方向（移動方向）Ｄに隣接する他の伝熱プレート４１（例えば、伝熱プレート４１Ｆ）の押圧によって変形された熱伝導部材５１との一方向Ｄにおける重なり部分の長さを調整することを意味する。当該重なり部分は、一の伝熱プレートが熱伝導部材と接触しなくなる部分となり得るので、当該重なり量（すなわち、離間距離Ｇ）が適宜調整された伝熱プレート４１を有する電池モジュール２１では、放熱効率の低下を抑制することができる。
【００３４】
図８（Ｂ）に示されるように、上記実施形態の電池モジュール２１では、離間距離Ｇは、電池セル２３の膨張による伝熱プレート４１の最大移動量Ｍよりも長い。この構成の電池モジュール２１によれば、電池セル２３の膨張により、図８（Ａ）に示されるような位置から図８（Ｂ）に示されるように位置に伝熱プレート４１が移動した場合であっても、第二本体部４３の他端部４３ａが移動方向に隣接して配置されている伝熱プレート４１が配置されていた位置Ｈ１，Ｈ２まで移動することはない。
【００３５】
具体的には、電池セル２３の膨張により伝熱プレート４１Ｇが移動した場合であっても、移動方向に隣接して配置されていた伝熱プレート４１Ｆの押圧によって変形した熱伝導部材５１の位置Ｈ１にまで移動することはない。すなわち、伝熱プレート４１Ｇの第二本体部４３と熱伝導部材５１との接触した状態が維持される。同様に、電池セル２３の膨張により伝熱プレート４１Ｆが移動した場合であっても、移動方向に隣接して配置されていた伝熱プレート４１Ｅの押圧によって変形した熱伝導部材５１の位置Ｈ２にまで移動することはない。したがって、第二本体部４３の一部が熱伝導部材５１に接触しなくなることがない。この結果、放熱効率の低下をより一層抑制することができる。
【００３６】
上記実施形態の電池モジュール２１は、配列体２８の一方の端部に配置される弾性部材４７を更に備えており、一対のブラケット２５，２５は、配列体２８と弾性部材４７とを一方向Ｄに加圧した状態で拘束している。この構成の電池モジュール２１では、電池セル２３の膨張を一定の範囲で吸収することができる。
【００３７】
以上、一実施形態について説明したが、本発明は、上記実施形態に限られるものではなく、発明の趣旨を逸脱しない範囲で種々の変更が可能である。
【００３８】
上記実施形態では、第一本体部４２の一端部４３ｂから直角（９０度）に屈曲する矩形平板状の第二本体部４３を有している伝熱プレート４１を例に挙げて説明したが、本発明はこれに限定されず、伝熱プレート４１は、例えば、６０度〜９０度に屈曲する第二本体部４３を有していてもよい。なお、上記屈曲の角度は、第二本体部の長さＬ２の倍数に合せて選択することができる。また、電池モジュール２１は、第一本体部４２の一端部４３ｂから直角（９０度）に屈曲する矩形平板状の第二本体部４３を有する伝熱プレート４１と、第一本体部４２の一端部４３ｂから６０度以上９０度未満に屈曲する矩形平板状の第二本体部４３を有する伝熱プレートと、が混在していてもよい。
【００３９】
上記実施形態又は変形例では、第一本体部４２の一端部４３ｂから直角（９０度）に屈曲する矩形平板状の第二本体部４３を有している伝熱プレート４１を例に挙げて説明したが、第一本体部４２の一端部４３ｂから折れ曲がらない形状の伝熱プレートとしてもよい。言い換えれば、第二本体部４３を有さない伝熱プレートとしてもよい。また、電池モジュール２１は、上記実施形態又は変形例において説明した互いに異なる伝熱プレート（第一本体部４２の一端部４３ｂから直角（９０度）に屈曲する矩形平板状の第二本体部４３を有する伝熱プレート４１、第二本体部４３を有さない伝熱プレート、第一本体部４２の一端部４３ｂから６０度以上９０度未満に屈曲する矩形平板状の第二本体部４３を有する伝熱プレート等）が任意に組み合わされた構成としてもよい。
【００４０】
上記実施形態又は変形例では、図４に示されるように、全ての伝熱プレート４１において、第二本体部４３の長さＬ２が全て同じ（言い換えれば、距離Ｇが全て同じ）である例を挙げて説明したが、本発明はこれに限定されない。例えば、一方向Ｄにおける第二本体部４３の長さＬ２は、一方向Ｄにおいて弾性部材４７から遠くなるにつれて徐々に又は段階的に長くなる構成の電池モジュールとしてもよい。言い換えれば、一方向Ｄにおいて弾性部材４７から遠くなるにつれて上記距離Ｇが徐々に又は段階的に短くなる構成の電池モジュールとしてもよい。
【００４１】
この変形例に係る電池モジュールでは、電池セル２３の膨張により伝熱プレート４１が移動した場合であっても、移動方向に隣接して配置されていた伝熱プレート４１の押圧によって変形した熱伝導部材５１の位置にまで移動する可能性を低くすることができる。この結果、放熱効率の低下をより一層抑制することができる。
【００４２】
上記実施形態又は変形例では、伝熱プレート４１における第二本体部４３は、第一本体部４２から弾性部材４７が配置された方向に折れ曲がっている例を挙げて説明したが、全ての伝熱プレート４１における一部又は全ての第二本体部４３が第一本体部４２から弾性部材４７が配置された方向とは反対側に折れ曲がっていてもよい。
【００４３】
上記実施形態又は変形例では、上記実施形態の電池モジュール２１は、第一本体部４２と第二本体部４３との間には、第一本体部４２と第二本体部４３とを滑らかに接続する曲線部４４が配置された伝熱プレート４１を備える例を挙げて説明したが、第一本体部４２と第二本体部４３とが連続する（曲線部４４がない）伝熱プレート４１を備えていてもよい。また、第二本体部４３は、上記実施形態又は変形例のようにフラットではなく、例えば、上方（熱伝導部材５１から遠ざかる方向）に曲がる形状としたり、先端の厚みが薄くなるように形成したりしてもよい。これにより、伝熱プレート４１の熱伝導部材５１への引っ掛かりを低減し、熱伝導部材５１の損傷を低減させることができる。
【００４４】
上記実施形態又は変形例では、一対のブラケット２５，２５によって配列体２８を一方向Ｄに加圧した状態で拘束する例を挙げて説明したが、筐体１１への取り付け機能を有さない一対のエンドプレートによって配列体２８を一方向Ｄに加圧した状態で拘束してもよい。
【００４５】
上記実施形態又は変形例では、弾性部材４７は、図９（Ａ）に示されるように、配列体２８の一方の端部に一つだけ配置される例を挙げて説明したが、本発明はこれに限定されない。例えば、弾性部材４７は、配列体２８の両方の端部に配置されてもよいし、電池セル２３の間に配置されてもよい。また、弾性部材４７は、図９（Ｂ）に示されるように、全て又は一部の電池セル２３間に配置されてもよい。
【００４６】
上記実施形態又は変形例では、ウレタン系ゴム等の弾性材料によって形成されている弾性部材４７を例に挙げて説明したが、本発明はこれに限定されることなく、例えば、バネ等の弾性部材であってもよい。
【００４７】
上記実施形態又は変形例では、電池ホルダ２２に保持された状態の電池セル２３が並設された電池モジュール２１を例に挙げて説明したが、電池ホルダ２２には保持されず、電池セル２３のみからなる電池モジュール２１を用いてもよい。
【００４８】
上記実施形態又は変形例では、被固定部材の例として電池パック１０における筐体１１の側壁１３を例に挙げて説明したが、産業車両に搭載されるカウンタウェイトなどを用いてもよい。
【００４９】
以上説明した種々の実施形態及び変形例は、本発明の趣旨を逸脱しない範囲で種々、組み合わせられてもよい。
【符号の説明】
【００５０】
１０…電池パック、１１…筐体、１３…側壁、２１…電池モジュール、２２…電池ホルダ、２３（２３Ａ〜２３Ｇ）…電池セル、２４ｃ…主面、２５…ブラケット（拘束部）、２８…配列体、４１（４１Ａ〜４１Ｇ）…伝熱プレート、４２…第一本体部、４３…第二本体部、４３ａ…他端部、４３ｂ…一端部、４７…弾性部材、５１…熱伝導部材、Ｂ…ボルト（拘束部）、Ｎ…ナット（拘束部）、Ｄ…一方向、Ｇ…離間距離、Ｍ…最大移動量。
【図１】
0006561849.tif 000002
【図２】
0006561849.tif 000003
【図３】
0006561849.tif 000004
【図４】
0006561849.tif 000005
【図５】
0006561849.tif 000006
【図６】
0006561849.tif 000007
【図７】
0006561849.tif 000008
【図８】
0006561849.tif 000009
【図９】
0006561849.tif 000010